Podtech/llm-jp-corpus-v4-ja_patent huggingface dataset:
【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
検査システムでウエハを走査することによって生成された画像データを記憶するように構成されるシステムであって、
検査システムの検出器に接続される一組のプロセッサノードであって、該プロセッサノードのそれぞれは、ウエハの走査中に検出器によって生成された画像データの一部分を受信するように構成される一組のプロセッサノードと、
前記プロセッサノードのそれぞれに別々に接続される記憶媒体のアレイと、を備え、
前記プロセッサノードは、さらに、前記ウエハの走査中に前記検出器によって生成された前記画像データの全てまたは前記画像データの選択された部分が前記記憶媒体の前記アレイに記憶されるように、前記プロセッサノードによって受信された前記画像データの全てまたは前記画像データの選択された部分が前記記憶媒体の前記アレイに送られるように構成される、システム。
【請求項２】
請求項１に記載のシステムであって、
前記一組のプロセッサノードは、さらに、前記記憶媒体のアレイに記憶された複数のパスの前記画像データを処理することによって前記ウエハ上の欠陥を検出するように構成され、
前記複数のパスにより得られる画像データを１つ以上のアルゴリズムと組み合わせることによって、欠陥を検出するとともに、欠陥の誤検出を抑制する、システム。
【請求項３】
請求項１に記載のシステムであって、
前記一組のプロセッサノードは、さらに、前記記憶媒体のアレイに記憶された複数のパスの前記画像データを処理することによって前記ウエハ上の欠陥を検出するように構成され、
前記複数のパスのうちの１つのパスは、前記画像データに１つ以上のアルゴリズムを適用することによって、候補欠陥を検出することを含み、
前記複数のパスのうちの１つ以上の他のパスは、前記候補欠陥の位置において画像データに１つ以上のアルゴリズムを適用することによって、欠陥を抽出するとともに、欠陥の誤検出を抑制する、システム。
【請求項４】
請求項１に記載のシステムであって、
前記一組のプロセッサノードは、さらに、前記記憶媒体のアレイに記憶された複数のパスの前記画像データを処理することによって前記ウエハ上の欠陥を検出するように構成され、
前記複数のパスのうちの１つのパスは、前記画像データに１つ以上のアルゴリズムを適用することによって、候補欠陥を検出することを含み、
前記１つのパスから得られる画像データと、前記候補欠陥の位置において前記複数のパスのうちの１つ以上の他のパスから得られる画像データと、を組み合わせたものに、１つ以上の他のアルゴリズムを適用することによって、欠陥を抽出するとともに、欠陥の誤検出を抑制する、システム。
【請求項５】
請求項１に記載のシステムであって、
前記一組のプロセッサノードは、さらに、前記記憶媒体のアレイに記憶された複数のパスの前記画像データを処理することによって前記ウエハ上の欠陥を検出するように構成され、
前記複数のパスのうちの１つのパスは、前記画像データに１つ以上のアルゴリズムを適用することによって、第１の組の候補欠陥を検出することを含み、
前記複数のパスのうちの１つ以上の他のパスは、前記画像データに１つ以上のアルゴリズムを適用することによって、第２の組の候補欠陥を検出することを含み、
前記２つの組の候補欠陥の位置の各々において両方のパスから得られる画像データに１つ以上の他のアルゴリズムを適用することによって、欠陥を抽出するとともに、欠陥の誤検出を抑制する、システム。
【請求項６】
ウエハ上の欠陥を検出するように構成される検査システムであって、
ウエハの走査によって該ウエハの画像データを生成するように構成される検査サブシステムと、
前記検査サブシステムに接続される一組のプロセッサノードであって、該プロセッサノードのそれぞれは前記ウエハの走査中に前記検査サブシステムによって生成された前記画像データの一部分を受信するように構成され、前記プロセッサノードのそれぞれは、前記プロセッサノードのそれぞれによって受信された前記画像データの前記部分を使って前記ウエハ上の欠陥を検出するようにさらに構成される、一組のプロセッサノードと、
前記プロセッサノードのそれぞれに別々に接続される記憶媒体のアレイと、を備え、
前記プロセッサノードは、前記ウエハの走査中に前記検査サブシステムによって生成された前記画像データの全てまたは前記画像データの選択された部分が前記記憶媒体の前記アレイに記憶されるように、前記プロセッサノードによって受信された前記画像データの全てまたは画像データの選択された部分を前記記憶媒体の前記アレイに送るようにさらに構成される、検査システム。
【請求項７】
検査システムによりウエハを走査することによって生成される画像データを記憶する方法であって、
ウエハの走査中に検査システムの検出器によって生成される画像データの異なる部分を別々に受信するステップと、
前記ウエハの走査中に前記検出器によって生成された前記画像データの全てまたは前記画像データの選択された部分が前記記憶媒体の異なるアレイに記憶されるように、前記異なる部分または前記異なる部分の選択された部分を記憶媒体の異なるアレイに別々に送るステップと、を備える方法。
【手続補正書】
【提出日】平成26年12月10日(2014.12.10)
【手続補正１】
【補正対象書類名】特許請求の範囲
【補正対象項目名】全文
【補正方法】変更
【補正の内容】
【特許請求の範囲】
【請求項１】
映像復号化方法において、
ビットストリームから復号化される現在ブロックに適用されたイントラ予測モード情報を抽出する段階と、
前記抽出されたイントラ予測モードによって前記現在ブロックに対するイントラ予測を行う段階を含み、
前記イントラ予測モードは、
複数の方向のうち特定方向を指し、前記特定方向は水平方向のｄｘ（ｄｘは整数）個のピクセル及び垂直方向のｄｙ（ｄｙは整数）個のピクセルのうち一つによって指され、
前記イントラ予測を行う段階は、
前記現在ブロックの現在ピクセルの位置および前記イントラ予測モードによって指される前記特定方向によって、前記現在ブロックの左側及び上側に存在するピクセルのうち獲得する周辺ピクセルの個数を獲得する段階と、
前記周辺ピクセルの個数が１と決定された場合、１つの周辺ピクセルに基づき現在ピクセルの予測値を獲得する段階と、
前記周辺ピクセルの個数が２と決定された場合、２つの周辺ピクセルの加重平均値に基づき、前記現在ピクセルの予測値を獲得する段階と、を含み、
前記映像は、最大符号化単位のサイズに関する情報によって複数の最大符号化単位に分割され、
前記最大符号化単位は、分割情報によって深度を有する多数の符号化単位に階層的に分割され、
現在深度の符号化単位は、上位深度の符号化単位から分割された正四角データ単位のうち一つであり、
前記分割情報が前記現在振動で分割されることを表す場合、前記現在深度の符号化単位は周辺符号化単位と独立して下位深度の符号化単位に分割され、
前記分割情報が前記下位深度で分割されていないことを表す場合、少なくとも一つの予測単位は前記下位深度の符号化単位から獲得されることを特徴とする映像復号化方法。
【請求項２】
前記現在ブロックは、現在深度の符号化単位の予測復号化のためのデータ単位の予測単位であることを特徴とする請求項１に記載の映像復号化方法。
【手続補正書】
【提出日】平成27年9月24日(2015.9.24)
【手続補正１】
【補正対象書類名】明細書
【補正対象項目名】００３４
【補正方法】変更
【補正の内容】
【００３４】
本実施形態のバルーンカテーテル１００は、これを構成するシャフトを形成するためのチューブを熱融着することにより製造することができる。
具体的には、図５および図６に示すように、アウターシャフト１０の先端側を形成するための第１チューブ１０Ａと、アウターシャフト１０の基端側を形成するための第２チューブ１０Ｂと、インナーシャフト３０を形成するための第３チューブ３０Ａと、接続チューブ４０を形成するための第４チューブ４０Ａとを配置し、第３チューブ３０Ａのルーメンおよび第４チューブ４０Ａのルーメンにマンドレル９０（ガイドワイヤルーメンを確保するためのマンドレル）を挿通するとともに、第１チューブ１０Ａのルーメンおよび第２チューブ１０Ｂのルーメンに、拡張ルーメンを確保するためのマンドレル（図示省略）を挿通する。
【手続補正２】
【補正対象書類名】明細書
【補正対象項目名】００３５
【補正方法】変更
【補正の内容】
【００３５】
図６に示すように、第１チューブ１０Ａと第２チューブ１０Ｂとは、前者の基端部分の管壁に形成したスリットに、後者の先端部分の管壁を挿入することにより嵌合している。また、第２チューブ１０Ｂの外側に配置した第３チューブ３０Ａは、第１チューブ１０Ａの内部に挿入されている。また、第３チューブ３０Ａの基端側には、第４チューブ４０Ａを配置している。
【手続補正３】
【補正対象書類名】明細書
【補正対象項目名】００３６
【補正方法】変更
【補正の内容】
【００３６】
このように配置された第１チューブ１０Ａ、第２チューブ１０Ｂ、第３チューブ３０Ａおよび第４チューブ４０Ａに収縮チューブを被せて、この収縮チューブを介して加熱加圧することにより、これらのチューブが互いに熱融着されて固定される。その後、ガイドワイヤルーメンを確保するためのマンドレル９０および拡張ルーメンを確保するためのマンドレルを抜去することにより、図２乃至図４に示したような構造部分を有するバルーンカテーテルを得ることができる。
【手続補正４】
【補正対象書類名】明細書
【補正対象項目名】００３７
【補正方法】変更
【補正の内容】
【００３７】
上記の融着工程において、アウターシャフト１０を形成するための第１チューブ１０Ａおよび第２チューブ１０Ｂと、インナーシャフト３０を形成するための第３チューブ３０Ａとを確実に熱融着させるために、図６において点線で囲まれた領域Ｍが集中的に加熱され、この結果、当該領域に位置する熱可塑性樹脂、特に、第３チューブ３０Ａの基端部分を構成する熱可塑性樹脂（内層３１Ａの構成樹脂および外層３２Ａの構成樹脂）が完全に溶融する。
【手続補正５】
【補正対象書類名】明細書
【補正対象項目名】００３８
【補正方法】変更
【補正の内容】
【００３８】
他方、第３チューブ３０Ａの基端側に配置されている第４チューブ４０Ａの大部分は、集中的に加熱される前記領域Ｍから基端方向にある程度離間した位置にあるために、融着工程において、第４チューブ４０Ａの先端部分を構成する熱可塑性樹脂が僅かに溶融して第１チューブ１０Ａ、第２チューブ１０Ｂおよび第３チューブ３０Ａと熱融着するものの、第４チューブ４０Ａを構成する熱可塑性樹脂の殆どが基端側に流れ出すことなく、第３チューブ３０Ａの基端側において接続固定（熱融着）される。
【手続補正６】
【補正対象書類名】明細書
【補正対象項目名】００４３
【補正方法】変更
【補正の内容】
【００４３】
１００  バルーンカテーテル
１０    アウターシャフト
１０Ｌ  拡張ルーメン
２０    バルーン
３０    インナーシャフト
３０Ｌ  ガイドワイヤルーメン
３１    内層
３２    外層
３５    ガイドワイヤポート
４０    接続チューブ
４５    ガイドワイヤポート
５０    ハイポチューブ
６０    ハブ
６５    バルーン拡張用ポート
７０    ストレインリリーフ
８０    コアワイヤ                                                              ９０    マンドレル
１０Ａ  第１チューブ
１０Ｂ  第２チューブ
３０Ａ  第３チューブ
３１Ａ  内層
３２Ａ  外層
４０Ａ  第４チューブ
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
成体コンパニオンペットの精神能力の衰退開始の阻害方法であって、ペットが少なくとも２歳であるときに前記ペットに、この阻害を達成するのに足る量の酸化防止剤または酸化防止剤の混合物を含む食餌を与えることを含んでなり、酸化防止剤の量は食餌の少なくとも２５ｐｐｍである、前記方法。
【請求項２】
ペットがイヌである、請求項１に記載の方法。
【請求項３】
ペットがネコである、請求項１に記載の方法。
【請求項４】
ビタミンＥを、食餌の少なくとも１００ｐｐｍの量でペットに与える、請求項１に記載の方法。
【請求項５】
ビタミンＣ、Ｌ−カルニチン、α−リポ酸及びその混合物からなる群より選択される酸化防止剤をペットに与える、請求項４に記載の方法。
【請求項６】
ビタミンＣ、Ｌ−カルニチン、α−リポ酸及びその混合物からなる群より選択される酸化防止剤をペットに与える、請求項１に記載の方法。
【請求項７】
ビタミンＣを、食餌の少なくとも５０ｐｐｍの量でペットに与える、請求項６に記載の方法。
【請求項８】
α−リポ酸を、食餌の少なくとも２５ｐｐｍの量でペットに与える、請求項６に記載の方法。
【請求項９】
Ｌ−カルニチンを、食餌の少なくとも５０ｐｐｍの量でペットに与える、請求項６に記載の方法。
【請求項１０】
ペットが少なくとも２歳であるときに前記ペットに、栄養所要量を満たす食餌を与えることを含んでなり、前記食餌が少なくとも２５ｐｐｍのリポ酸を有し、前記食餌を少なくとも１カ月与える、請求項１に記載の方法。
【手続補正書】
【提出日】平成27年8月25日(2015.8.25)
【手続補正１】
【補正対象書類名】明細書
【補正対象項目名】０００９
【補正方法】変更
【補正の内容】
【０００９】
この発明は、上記のような課題を解決するためになされたもので、圧縮機用電動機の巻線とリード線の接合において、巻線とリード線の接合部の電気抵抗を増加させことなく接合させた信頼性が高い圧縮機用電動機、圧縮機及び冷凍サイクル装置を得ることが目的である。
【手続補正２】
【補正対象書類名】明細書
【補正対象項目名】００１０
【補正方法】変更
【補正の内容】
【００１０】
この発明に係る圧縮機用電動機は、円筒形の固定子と固定子の内側に配設された回転子を有する圧縮機用電動機において、固定子に、円筒形のバックヨークとバックヨークから内側に突出した複数のティースを有する固定子鉄心と、固定子鉄心の軸方向の端面に装着された絶縁部材と、ティースに絶縁部材を介して巻き付けられた固定子巻線と、端末の一端が固定子巻線と冷間圧接にて接合され、他端を外部電源に接続するリード導線と、を備えたものである。
【手続補正３】
【補正対象書類名】明細書
【補正対象項目名】００１１
【補正方法】変更
【補正の内容】
【００１１】
この発明に係る圧縮機用電動機は、円筒形のバックヨークとバックヨークから内側に突出した複数のティースを有する固定子鉄心と、固定子鉄心の軸方向の端面に装着された絶縁部材と、ティースに絶縁部材を介して巻き付けられた固定子巻線と、端末の一端が固定子巻線と冷間圧接にて接合され、他端を外部電源に接続するリード導線と、を備えたので、固定子巻線とリード線の接合部の電気抵抗を増加させことなく接合させた信頼性が高い圧縮機用電動機、圧縮機及び冷凍サイクル装置を得ることができる。
【手続補正４】
【補正対象書類名】特許請求の範囲
【補正対象項目名】全文
【補正方法】変更
【補正の内容】
【特許請求の範囲】
【請求項１】
円筒形の固定子と前記固定子の内側に配設された回転子を有する圧縮機用電動機において、
前記固定子は、円筒形のバックヨークと前記バックヨークから内側に突出した複数のティースを有する固定子鉄心と、前記固定子鉄心の軸方向の端面に装着された絶縁部材と、前記ティースに前記絶縁部材を介して巻き付けられた固定子巻線と、端末の一端が前記固定子巻線と冷間圧接にて接合され、他端を外部電源に接続するリード線と、を備えたことを特徴とする圧縮機用電動機。
【請求項２】
前記回転子は永久磁石を備え、前記固定子巻線には前記永久磁石の逆起電力を低減させる電流を流すことを特徴とする請求項１に記載の圧縮機用電動機。
【請求項３】
前記固定子巻線は、アルミニウム線であることを特徴とする請求項１または請求項２に記載の圧縮機用電動機。
【請求項４】
前記リード線は、アルミニウム線であることを特徴とする請求項１または請求項２に記載の圧縮機用電動機。
【請求項５】
前記絶縁部材には収納部を有し、前記収納部には前記固定子巻線と前記リード線との接合部が収納され、前記接合部は前記収納部に充填された絶縁性樹脂で覆われたことを特徴とする請求項１から４のいずれかに記載の圧縮機用電動機。
【請求項６】
前記絶縁部材は、前記バックヨークの軸方向の端面に前記固定子巻線を保持する外壁部を有し、前記外壁部に前記収納部を設けたことを特徴とする請求項５に記載の圧縮機用電動機。
【請求項７】
前記収納部は、前記固定子鉄心の円周方向に設けられた前記外壁部の溝によって構成され、前記接合部は前記溝に収納されたことを特徴とする請求項６に記載の圧縮機用電動機。
【請求項８】
前記収納部は、箱形形状あるいは円筒形形状に形成され前記外壁部に設けられるとともに、内部に収納室を有し、前記接合部は前記収納室に収納されたことを特徴とする請求項６に記載の圧縮機用
電動機。
【請求項９】
前記収納部は、前記外壁に前記固定子鉄心の径方向に設けられた第１の側壁と、前記第１の側壁との間に間隙を有するように前記外壁に設けられた第２の側壁と、によって構成され、前記接合部を前記間隙に収容することを特徴とする請求項６に記載の圧縮機用電動機。
【請求項１０】
前記収納部は、前記固定子鉄心の軸方向に開口部を有することを特徴とする請求項６に記載の圧縮機用電動機。
【請求項１１】
前記絶縁性樹脂は、熱硬化性あるいは紫外線硬化性のうち少なくとも一方の硬化特性を有し、前記収納室に前記樹脂を充填した後、加熱あるいは紫外線照射のうち少なくとも一方の作用によって硬化させることを特徴とする請求項５から１０のいずれかに記載の圧縮機用電動機。
【請求項１２】
前記絶縁性樹脂は０．５Ｐａ・ｓ以上５．０Ｐａ・ｓ以下の粘度を有することを特徴とする請求項５から１１のいずれかに記載の圧縮機用電動機。
【請求項１３】
請求項１から１２のいずれかに記載の圧縮機用電動機と、前記圧縮機用電動機に駆動され冷媒を圧縮する圧縮機構と、を備えたことを特徴とする圧縮機。
【請求項１４】
前記圧縮機構の回転位置に応じた負荷トルクに基づき、前記固定子巻線に流す電流を増減させることを特徴とする請求項１３に記載の圧縮機。
【請求項１５】
前記冷媒は、Ｒ４０７Ｃ冷媒あるいはＲ４１０Ａ冷媒の動作温度より高い動作温度であることを特徴とする請求項１３または請求項１４に記載の圧縮機。
【請求項１６】
請求項１３から１５のいずれかに記載の圧縮機、室外側熱交換器、減圧器および室内側熱交換器を備えたことを特徴とする冷凍サイクル装置。
【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
遊技媒体を循環させる循環経路を有するとともに可変表示装置における識別情報の可変表示の表示結果が予め定められた特定表示結果になったときに遊技者にとって有利な特定遊技状態に移行する封入式遊技機と、該封入式遊技機と通信可能に接続された遊技用装置とを備える遊技用システムであって、
前記封入式遊技機は、
前記可変表示装置とは別の表示装置と、
前記可変表示装置における可変表示情報を前記遊技用装置へ送信する送信手段とを含み、
前記遊技用装置は、
前記送信手段より送信されてきた可変表示情報に基づいて前記表示装置において所定情報を可変表示させる制御を行なうとともに、演出の種類を選択する操作により選択された種類の演出制御を行なう表示制御手段と、
前記表示装置の演出制御に必要な画像データをサーバから受信する受信手段とを含み、
前記表示制御手段は、前記受信手段により受信された画像データを用いた演出制御を行なう、遊技用システム。
【手続補正２】
【補正対象書類名】明細書
【補正対象項目名】０００１
【補正方法】変更
【補正の内容】
【０００１】
遊技媒体を循環させる循環経路を有するとともに可変表示装置における識別情報の可変表示の表示結果が予め定められた特定表示結果になったときに遊技者にとって有利な特定遊技状態に移行する封入式遊技機と、該封入式遊技機と通信可能に接続された遊技用装置とを備える遊技用システムに関する。
【手続補正３】
【補正対象書類名】明細書
【補正対象項目名】０００９
【補正方法】変更
【補正の内容】
【０００９】
（１）  本発明は、遊技媒体を循環させる循環経路を有するとともに可変表示装置（可変表示装置２７８、リール２Ｌ、２Ｃ、２Ｒ）における識別情報の可変表示の表示結果が予め定められた特定表示結果（たとえばぞろ目、役が成立する図柄の組合せ）になったときに遊技者にとって有利な特定遊技状態（大当り状態、入賞）に移行する封入式遊技機（Ｐ台２、Ｓ台２Ｓ）と、該封入式遊技機と通信可能に接続された遊技用装置（ＣＵ３）とを備える遊技用システムであって、
前記封入式遊技機は、
前記可変表示装置とは別の表示装置（表示装置５４、５１０）と、
前記可変表示装置における可変表示情報（図１５の遊技情報・種別情報）を前記遊技用装置へ送信する送信手段（払出制御部１７１）とを含み、
前記遊技用装置は、
前記送信手段より送信されてきた可変表示情報に基づいて前記表示装置において所定情報を可変表示させる制御を行なうとともに、演出の種類を選択する操作により選択された種類の演出制御を行なう表示制御手段（表示制御部３５０、Ｓ８１０〜Ｓ８１５、Ｓ８２０〜Ｓ８２５）と、
前記表示装置の演出制御に必要な画像データをサーバから受信する受信手段（Ｓ８００、Ｓ８０１、Ｓ８０３、Ｓ８０６）とを含み、
前記表示制御手段は、前記受信手段により受信された画像データを用いた演出制御を行なう（Ｓ８２０）。
【手続補正４】
【補正対象書類名】明細書
【補正対象項目名】００１０
【補正方法】変更
【補正の内容】
【００１０】
このような構成によれば、封入式遊技機と通信可能に接続された遊技用装置の方がサーバからの画像データを受信するために、画像データを封入式遊技機に配信する場合のセキュリティの問題が生ずることなくかつ封入式遊技機の処理速度を担保することができる。しかも、そのサーバから受信した画像データを用いた演出表示を行なう表示装置が封入式遊技機に設けられているために、当該封入式遊技機で遊技を行なっている遊技者が大きく視線を逸らすことなくその表示装置を視認することができ、表示装置の表示により遊技者の注意を効果的に引くことができる。さらに、演出の種類を選択する操作により選択された種類の演出が表示装置に表示されるために、豊富な種類の演出を表示装置に表示させることが可能となる。
【手続補正５】
【補正対象書類名】明細書
【補正対象項目名】００１４
【補正方法】変更
【補正の内容】
【００１４】
このような構成によれば、封入式遊技機自体の遊技以外にも遊技者の注意を引くことができ、遊技の興趣を向上させることができる。
【手続補正６】
【補正対象書類名】明細書
【補正対象項目名】００１７
【補正方法】変更
【補正の内容】
【００１７】
（５）  上記（１）〜（４）のいずれかの遊技用システムにおいて、前記遊技用装置は、前記封入式遊技機との最初の接続時に該封入式遊技機のメーカに対応した前記画像データの配信を前記サーバへ要求する配信要求手段（図３３の表示用データ取得シーケンス、Ｓ８００）を含む。
【手続補正７】
【補正対象書類名】明細書
【補正対象項目名】００１９
【補正方法】変更
【補正の内容】
【００１９】
（６）  上記（１）〜（５）のいずれかの遊技用システムにおいて、前記遊技用装置は、前記封入式遊技機との最初の接続時に該封入式遊技機の機種に応じて前記表示装置を制御するための機種対応処理を実行する（Ｓ８０７）。
【手続補正８】
【補正対象書類名】明細書
【補正対象項目名】００２０
【補正方法】変更
【補正の内容】
【００２０】
このような構成によれば、機種対応処理の結果封入式遊技機の機種に応じた演出を適用でき、演出効果を向上させることができる。
【手続補正９】
【補正対象書類名】明細書
【補正対象項目名】００２１
【補正方法】変更
【補正の内容】
【００２１】
（７）  上記（１）〜（６）の遊技用システムにおいて、前記遊技用装置は、前記封入式遊技機の機種に対応した前記表示装置の制御用データを前記サーバへ要求する（図７６に示す機種対応データを含む表示用データをＳ８０３によりセキュリティセンターサーバ８０２への要求する）。
【手続補正１０】
【補正対象書類名】明細書
【補正対象項目名】００２２
【補正方法】変更
【補正の内容】
【００２２】
このような構成によれば、封入式遊技機の機種に対応した表示装置の制御用データをサーバから遊技用装置へダウンロードし、封入式遊技機の機種に対応した表示装置の制御を行なうことができ、演出効果を向上させることができる。
【手続補正１１】
【補正対象書類名】明細書
【補正対象項目名】００２３
【補正方法】変更
【補正の内容】
【００２３】
（８）  上記（１）〜（７）のいずれかの遊技用システムにおいて、前記遊技用装置は、前記封入式遊技機の機種に対応した前記表示装置の制御用データを設定する（Ｓ８０７によるスケーラの設定等）。
【手続補正１２】
【補正対象書類名】明細書
【補正対象項目名】００２４
【補正方法】変更
【補正の内容】
【００２４】
このような構成によれば、封入式遊技機の機種に対応した表示装置の制御用データの設定を行なった上で遊技用装置が表示装置を制御することができ、封入式遊技機の機種に応じた演出を適用でき、演出効果を向上させることができる。
【手続補正書】
【提出日】平成27年5月29日(2015.5.29)
【手続補正１】
【補正対象書類名】特許請求の範囲
【補正対象項目名】全文
【補正方法】変更
【補正の内容】
【特許請求の範囲】
【請求項１】
複数のワーク同士を溶接する際に形成される溶接部の溶接状態を検査する溶接部の検査装置であって、
ワーク同士を溶接するために該ワークに設定された溶接軌跡に沿って溶接用レーザ光を照射する、もしくは、溶接用レーザ光によって溶融されたワークの溶融池に設定された走査軌跡に沿って検査用レーザ光を照射する照射部と、
前記照射部によって照射された溶接用レーザ光もしくは検査用レーザ光によるワークの溶融池からの反射光、ワークの溶融蒸発によって生じる蒸気発光、およびワークの溶融池から放射される熱放射光の少なくとも一つを含む戻り光を受光する受光部と、
前記溶接用レーザ光を溶接軌跡に沿って照射した際もしくは前記検査用レーザ光を走査軌跡に沿って照射した際に前記受光部によって受光される戻り光の強度変化に基づいて、前記ワークの溶接部の溶接状態を検査する検査部と、を備え、
前記照射部は、同一の溶接軌跡に沿って溶接用レーザ光を複数回照射し、もしくは、同一の走査軌跡に沿って検査用レーザ光を複数回照射し、
前記検査部は、前記溶接用レーザ光を前記同一の溶接軌跡に沿って照射した際もしくは前記検査用レーザ光を前記同一の走査軌跡に沿って照射した際の前記戻り光の強度変化の周期性に基づいて、前記ワークの溶接部の溶接状態を検査するようになっている溶接部の検査装置。
【請求項２】
前記溶接用レーザ光を前記同一の溶接軌跡に沿って照射する際の該溶接用レーザ光の走査周期、もしくは、前記検査用レーザ光を前記同一の走査軌跡に沿って照射する際の該検査用レーザ光の走査周期は、前記ワークの溶接部の溶接状態が正常である場合の前記戻り光の強度変化の固有周期と同一である、請求項１に記載の溶接部の検査装置。
【請求項３】
前記検査部は、前記戻り光の強度をフーリエ変換もしくは微分して、前記ワークの溶接部の溶接状態を検査するようになっている、請求項１または２に記載の溶接部の検査装置。
【請求項４】
複数のワーク同士を溶接する際に形成される溶接部の溶接状態を検査する溶接部の検査方法であって、
ワーク同士を溶接するために該ワークに設定された溶接軌跡に沿って溶接用レーザ光を照射し、もしくは、溶接用レーザ光によって溶融されたワークの溶融池に設定された走査軌跡に沿って検査用レーザ光を照射し、前記溶接用レーザ光もしくは検査用レーザ光によるワークの溶融池からの反射光、ワークの溶融蒸発によって生じる蒸気発光、およびワークの溶融池から放射される熱放射光の少なくとも一つを含む戻り光を受光する第１のステップと、
前記溶接用レーザ光を溶接軌跡に沿って照射した際もしくは前記検査用レーザ光を走査軌跡に沿って照射した際に受光された戻り光の強度変化に基づいて、前記ワークの溶接部の溶接状態を検査する第２のステップと、からなり、
前記第１のステップにおいて、同一の溶接軌跡に沿って溶接用レーザ光を複数回照射し、もしくは、同一の走査軌跡に沿って検査用レーザ光を複数回照射し、
前記第２のステップにおいて、前記溶接用レーザ光を前記同一の溶接軌跡に沿って照射した際もしくは前記検査用レーザ光を前記同一の走査軌跡に沿って照射した際の前記戻り光の強度変化の周期性に基づいて、前記ワークの溶接部の溶接状態を検査する溶接部の検査方法。
【請求項５】
前記第１のステップにおいて、前記ワークの溶接部の溶接状態が正常である場合の前記戻り光の強度変化の固有周期で、前記溶接用レーザ光を前記同一の溶接軌跡に沿って照射し、もしくは、前記検査用レーザ光を前記同一の走査軌跡に沿って照射する、請求項４に記載の溶接部の検査方法。
【請求項６】
前記第２のステップにおいて、前記戻り光の強度をフーリエ変換もしくは微分して、前記ワークの溶接部の溶接状態を検査する、請求項４または５に記載の溶接部の検査方法。
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
表面に誘電体層を有する陽極箔と前記誘電体層に接触した固体電解質層とを有するコンデンサ素子を形成する工程と、
前記コンデンサ素子に電解液を含浸させる工程と、を備え、
前記固体電解質層は、ポリチオフェンまたはその誘導体が分散した分散液を前記誘電体層に接触させて形成し、
前記電解液は、ポリアルキレングリコール又はその誘導体からなる第１溶媒を含むことを特徴とする、電解コンデンサの製造方法。
【請求項２】
前記電解液が、前記第１溶媒よりも揮発性が高く、ポリアルキレングリコール又はその誘導体を含まない第２溶媒を含む、請求項１に記載の電解コンデンサの製造方法。
【請求項３】
前記第２溶媒は、前記第１溶媒よりも粘性が低い、請求項２に記載の電解コンデンサの製造方法。
【請求項４】
前記第２溶媒は、γブチロラクトン、スルホラン又はγブチロラクトンとスルホランとの混合物からなる、請求項２又は請求項３に記載の電解コンデンサの製造方法。
【請求項５】
前記電解液は、前記電解液に溶解した溶解成分としての酸と塩基とを含み、
前記酸は前記塩基より多い、請求項１乃至請求項４いずれかに記載の電解コンデンサの製造方法。
【請求項６】
前記電解液は、カルボキシル基を３個以上含む芳香族有機カルボン酸、ホウ酸又はその化合物、リン酸又はその化合物、マンニトールとホウ酸との錯体、のいずれかを含む、請求項１乃至請求項５いずれかに記載の電解コンデンサの製造方法。
【請求項７】
前記電解液は、酸化防止剤を含む、請求項１乃至請求項６いずれかに記載の電解コンデンサの製造方法。
【手続補正書】
【提出日】平成27年5月27日(2015.5.27)
【手続補正１】
【補正対象書類名】特許請求の範囲
【補正対象項目名】全文
【補正方法】変更
【補正の内容】
【特許請求の範囲】
【請求項１】
多孔質支持体上に原料ガス中の酸性ガスを分離する機能を有する酸性ガス分離促進輸送膜を備えてなる酸性ガス分離用複合体をロール・トゥ・ロール方式で製造する製造方法であって、
親水性化合物、酸性ガスキャリアおよび水を含む、前記酸性ガス分離促進輸送膜の形成用塗布液を調整する塗布液調整工程と、
前記形成用塗布液を液膜厚さ０．３ｍｍから３．０ｍｍで前記支持体上に塗布する塗布工程と、
前記塗布された液膜を、乾燥炉にて乾燥させて前記酸性ガス分離促進輸送膜を形成する乾燥工程と、
前記支持体上に該酸性ガス分離促進輸送膜が形成されてなる酸性ガス分離用複合体を巻取りロールに巻き取る巻取工程とを含み、
前記巻取工程を行う巻取工程部の湿度を計測し、湿度が１０％以上６０％以下となるように管理し、
該管理された湿度条件下で前記巻取工程を行う酸性ガス分離用複合体の製造方法。
【請求項２】
前記湿度が１０％以上４０％以下となるように管理する請求項１記載の酸性ガス分離用複合体の製造方法。
【請求項３】
前記支持体として、疎水性多孔質膜と不織布との積層膜を用い、
該積層膜の前記疎水性多孔質膜上に前記形成用塗布液を塗布する請求項１または２記載の酸性ガス分離用複合体の製造方法。
【請求項４】
前記親水性化合物が、ポリビニルアルコール−ポリアクリル酸共重合体である請求項１から３いずれか１項記載の酸性ガス分離用複合体の製造方法。
【請求項５】
前記酸性ガスキャリアが、アルカリ金属炭酸塩から選ばれる少なくとも１つを含む化合物を含有するものある請求項１から４いずれか１項記載の酸性ガス分離用複合体の製造方法。
【請求項６】
前記乾燥炉において、該乾燥炉入口側から排出側に向かうにつれて、温度が６０℃以上１２０℃以下の範囲で、徐々に高くなるように調整して前記液膜を乾燥させる請求項１から５いずれか１項記載の酸性ガス分離用複合体の製造方法。
【請求項７】
多孔質支持体上に原料ガス中の酸性ガスを分離する機能を有する酸性ガス分離促進輸送膜を備えてなる酸性ガス分離用複合体をロール・トゥ・ロール方式で製造する製造装置であって、
親水性化合物、酸性ガスキャリアおよび水を含む、前記酸性ガス分離促進輸送膜の形成用塗布液を液膜厚さ０．３ｍｍから３．０ｍｍで前記支持体上に塗布する塗布部と、
乾燥炉にて前記塗布された液膜を乾燥させて前記酸性ガス分離促進輸送膜を形成する乾燥部と、
前記支持体上に該酸性ガス分離促進輸送膜が形成されてなる酸性ガス分離用複合体を巻取りロールに巻き取る巻取工程部とを備え、
前記巻取工程部に、該巻取工程部の湿度を計測する湿度検出器と、前記湿度が１０％以上６０％以下となるように調整する湿度調整部と、前記湿度検出器により計測された湿度に応じて前記湿度調整部による調整を制御する制御部とを備えた酸性ガス分離用複合体の製造装置。
【手続補正書】
【提出日】平成27年5月27日(2015.5.27)
【手続補正１】
【補正対象書類名】特許請求の範囲
【補正対象項目名】全文
【補正方法】変更
【補正の内容】
【特許請求の範囲】
【請求項１】
多孔質支持体上に原料ガス中の酸性ガスを分離する機能を有する酸性ガス分離促進輸送膜を備えてなる酸性ガス分離用複合体の製造方法であって、
親水性化合物、酸性ガスキャリアおよび水を含む、前記酸性ガス分離促進輸送膜の形成用塗布液を調製する塗布液調製工程と、
前記多孔質支持体として親水性多孔質膜、疎水性多孔質膜および補助支持膜がこの順に積層されてなる積層膜を用い、該積層膜の前記親水性多孔質膜の表面に、前記形成用塗布液を液膜厚さ０．３ｍｍ以上１．０ｍｍ以下で塗布し、該塗布された塗布液を乾燥させて最初の酸性ガス分離促進輸送膜を形成する初期層形成工程と、
先に形成された前記酸性ガス分離促進輸送膜を備えた前記親水性多孔質膜の表面に、前記酸性ガス分離促進輸送膜の形成用塗布液をさらに塗布し、該塗布された塗布液を乾燥させて次の酸性ガス分離促進輸送膜を形成する１回以上の次層形成工程とを含む酸性ガス分離用複合体の製造方法。
【請求項２】
前記酸性ガス分離促進輸送膜の形成用塗布液が、１５℃以上３５℃以下の温度、かつＢ型粘度測定において回転数６０ｒｐｍにおける粘度測定値が０．５Ｐａ・ｓ以上５Ｐａ・ｓ以下である請求項１記載の酸性ガス分離用複合体の製造方法。
【請求項３】
前記次層形成工程において、前記酸性ガス分離促進輸送膜の形成用塗布液を液膜厚さ３．０ｍｍ以下で塗布する請求項１または２記載の酸性ガス分離用複合体の製造方法。
【請求項４】
塗布法がロールコート法またブレードコート法である請求項１から３いずれか１項記載の酸性ガス分離用複合体の製造方法。
【請求項５】
前記親水性化合物が、ポリビニルアルコール−ポリアクリル酸共重合体である請求項１から４いずれか１項記載の酸性ガス分離用複合体の製造方法。
【請求項６】
前記酸性ガスキャリアが、アルカリ金属炭酸塩から選ばれる少なくとも１つを含む化合物を含有するものある請求項１から５いずれか１項記載の酸性ガス分離用複合体の製造方法。
【請求項７】
前記塗布液調製工程において、前記酸性ガス分離促進輸送膜の形成用塗布液として、前記酸性ガスキャリアの濃度が異なる複数の形成用塗布液を調製し、
前記次層形成工程において、先に形成された酸性ガス分離促進輸送膜を形成する際の前記形成用塗布液とは前記酸性ガスキャリアの濃度が異なる形成用塗布液を用いて次層酸性ガス分離促進輸送膜を形成する請求項１から６いずれか１項記載の酸性ガス分離用複合体の製造方法。
【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
抽出可能な製品を用いて、消費に適した所定量の飲料を調製するカプセルであって、前記カプセルは、
外周の第一壁、
前記外周の第一壁を第一端で閉じる第二壁、及び
前記第二壁の反対側の、第二の開いた端で、前記外周の第一壁を閉じる柔軟なシート状の穿孔された及び／又は多孔質の第三壁
を有し、
ここで、前記第一壁、第二壁及び第三壁は、抽出可能な製品を有する内部空間を囲んでおり、
ここで、前記第三壁は前記カプセルの軸方向で、前記カプセルの最も外側の境界を形成し、
ここで、前記第三壁は織布又は不織布のフィルタ物質を含む、
カプセル。
【請求項２】
前記第三壁は、使用中に前記第三壁が裂けたり及び／又は破れたりせずに、損傷しないままであるように十分に高い引裂強度を有し及び／又は十分に低い流れ抵抗を形成する、請求項１に記載のカプセル。
【請求項３】
前記カプセルは、前記第三壁の下流で前記第三壁を支持する支持構造がない、請求項１又は２に記載のカプセル。
【請求項４】
前記第三壁は、複数の出口開口を備えている、請求項１乃至３のいずれか１項に記載のカプセル。
【請求項５】
前記複数の出口開口は、前記第三壁のほぼ全面にわたって分布している、請求項４に記載のカプセル。
【請求項６】
前記第二壁は、穿孔された及び／又は多孔質である、請求項１乃至５のいずれかに１項に記載のカプセル。
【請求項７】
前記第二壁は、使用中に前記第二壁が裂けたり及び／又は破れたりせずに、損傷しないままであるように十分に高い引裂強度を有し及び／又は十分に低い流れ抵抗を形成する、請求項６に記載のカプセル。
【請求項８】
前記第三壁は、ろ過紙を含む、請求項１乃至７のいずれか１項に記載のカプセル。
【請求項９】
前記第二壁は、
柔軟な多孔質シート、
複数の入口開口を備える、柔軟なフォイルにより形成され、又は
前記第二壁は、実質的に剛性であり、かつ複数の入口開口を有する、請求項１乃至８のいずれか１項に記載のカプセル。
【請求項１０】
前記複数の入口開口は、前記フォイル又は前記第二壁それぞれの略全面にわたり分布している、請求項９に記載のカプセル。
【請求項１１】
前記第二壁は、ろ過紙のシートによって形成されている、請求項９または１０に記載のカプセル。
【請求項１２】
前記第二壁は、ポリマーフィルムによって形成されている、請求項９乃至１１のいずれか１項に記載のカプセル。
【請求項１３】
前記カプセルは、前記外周の第一壁に配置された複数の側面の入口開口を備えた、請求項１乃至１２のいずれか１項に記載のカプセル。
【請求項１４】
前記入口開口及び／又は側面の入口開口は円形断面を有する、請求項８乃至１３のいずれかに１項に記載のカプセル。
【請求項１５】
前記入口開口及び／又は側面の入口開口の断面は内部空間に向かって先細になる、請求項１４に記載のカプセル。
【請求項１６】
前記入口開口及び／又は側面の入口開口がスリットである、請求項８乃至１５のいずれか１項に記載のカプセル。
【請求項１７】
前記入口開口及び／又は側面の入口開口は、流体の圧力下で開くようにされている、請求項８乃至１６のいずれか１項に記載のカプセル。
【請求項１８】
前記内部空間は抽出可能な製品によって占められている、請求項１乃至１７のいずれか１項に記載のカプセル。
【請求項１９】
前記第二壁は前記外周の第一壁と一体である、請求項１乃至１８のいずれか１項に記載のカプセル。
【請求項２０】
前記カプセルは内方向に延在する周縁を有し、前記第二壁又は前記第三壁は前記内方向に延在する周縁に取り付けられている、請求項１乃至１９のいずれか１項に記載のカプセル。
【請求項２１】
前記カプセルは外方向に延在する周縁を有し、前記第二壁又は前記第三壁は前記外方向に延在する周縁に取り付けられている、請求項１乃至２０のいずれか１項に記載のカプセル。
【請求項２２】
前記第二壁及び／又は前記第三壁は前記外周の第一壁まで延在している、請求項１乃至２１のいずれか１項に記載のカプセル。
【請求項２３】
前記カプセルは、更に、使用前に前記入口フィルタをシールするために前記第二壁に接続された少なくとも部分的に除去可能な基部シールを有する、請求項１乃至２２のいずれか１項に記載のカプセル。
【請求項２４】
前記カプセルは、更に、使用前に前記第三壁をシールするために前記第三壁に接続された少なくとも部分的に除去可能な蓋シールを有する、請求項１乃至２３のいずれか１項に記載のカプセル。
【請求項２５】
前記蓋シールは、前記内部空間内の流体の圧力の作用で前記第三壁から部分的に解放されるが、少なくとも１か所で前記第三壁に取り付けられたままである、請求項２４に記載のカプセル。
【請求項２６】
前記カプセルは前記外周の第一壁と一体の補強リブを有する、請求項１乃至２５のいずれか１項に記載のカプセル。
【請求項２７】
前記外周の第一壁は、円筒形、半球形、切頭円錐形又は多角形である、請求項１乃至２６のいずれか１項に記載のカプセル。
【請求項２８】
前記外周の第一壁は、六角形または八角形である、請求項２７に記載のカプセル。
【請求項２９】
前記抽出可能な製品は焙煎して挽いたコーヒーである、請求項１乃至２８のいずれか１項に記載のカプセル。
【請求項３０】
抽出可能な製品はタブレットに圧縮されている、請求項１乃至２９のいずれか１項に記載のカプセル。
【請求項３１】
前記タブレットは、前記第二壁に面するタブレットの側から前記第三壁の方向に延在する少なくとも１つの孔を有する、請求項３０に記載のカプセル。
【請求項３２】
前記抽出可能な製品は複数のタブレットに圧縮されている、請求項１乃至３１のいずれか１項に記載のカプセル。
【請求項３３】
前記複数のタブレットは、互いに異なる充填密度である、請求項３２に記載のカプセル。
【請求項３４】
前記外周の第一壁は実質的に剛性である、請求項１乃至３３のいずれか１項に記載のカプセル。
【請求項３５】
前記第三壁は、使用中、収容器の支持面のリッジに対して当接するように配置され、前記支持面は、前記リッジの間にチャネル形状の溝を備え、且つ流体が前記抽出可能な製品に少なくとも６バールの圧力下で供給されるときに、前記カプセルから調製された飲料を排出するために、前記第三壁に面するように適合され、そして前記第三壁は、使用中に前記第三壁が前記リッジに当接して裂け又は破れないように、前記リッジに適合されている、請求項１乃至３４のいずれか１項に記載のカプセル。
【請求項３６】
前記第三壁の、密度、厚さ、ＰＥ含有量、出口開口部の存在、出口開口の数、並びに出口開口のサイズ、形状及び寸法、の少なくとも１つを含む、前記第三壁のパラメータは、使用中に前記第三壁が損傷を受けないままで、且つ裂け、破れ、及び該支持面に固着することの少なくとも１つがないように、前記第三壁が十分に高い引裂強度を有すること及び十分に低い流れ抵抗を形成することの少なくとも１つを有するように選択される、請求項３５に記載のカプセル。
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
略箱状で上面に複数の開口孔が形成されたケースと、前記ケースの開口孔に上下動可能に装着された複数の操作体と、前記操作体の上下動に応じて電気的接離を行うスイッチ接点からなり、前記操作体と前記スイッチ接点の間に弾性カバーを設けると共に、前記弾性カバー上面に前記操作体下面を係止した複合スイッチ。
【請求項２】
前記スイッチ接点が上面に形成される配線基板を備え、前記操作体の下面に下方へ突出する押圧部を設け、前記弾性カバーに前記押圧部が当接する窪部を設けると共に、前記弾性カバーに前記窪部の下面より下方へ突出したストッパ部を形成し、前記操作体を押圧操作すると、前記押圧部の下端が前記窪部を介して前記スイッチ接点の電気的接離を行い、前記ストッパ部が前記配線基板に当接して前記操作体の押圧を規制する請求項１記載の複合スイッチ。
【請求項３】
前記窪部の下面と前記スイッチ接点の上端との間に所定の隙間を設けた請求項２記載の複合スイッチ。
【請求項４】
前記操作体の押圧によって弾性変形され前記スイッチ接点の上端を押圧する凸部を、前記窪部の下面に形成した請求項２記載の複合スイッチ。
【手続補正書】
【提出日】平成27年3月10日(2015.3.10)
【手続補正１】
【補正対象書類名】特許請求の範囲
【補正対象項目名】全文
【補正方法】変更
【補正の内容】
【特許請求の範囲】
【請求項１】
改質触媒を収容する触媒収容室と、
前記触媒収容室に隣接し、前記触媒収容室へ被改質ガスを供給するために一時的に被改質ガスを流入させるバッファータンクと、
前記バッファータンクと前記触媒収容室との間を仕切ると共に、前記バッファータンクと前記触媒収容室とを連通させる長孔状の連通孔を面に有する板状の仕切部材と、
被改質ガスを前記バッファータンクへ導入する被改質ガス導入管と、
を有する燃料電池用改質装置において、
前記被改質ガス導入管は、前記バッファータンクへの被改質ガスの導入方向が前記仕切り部材の面と平行になるように配設されており、
前記仕切部材の長孔状の連通孔は、その短手方向が、前記バッファータンクへの被改質ガスの導入方向に伸びる直線を前記仕切部材へ投影させた投影線と平行になるよう設けられていることを特徴とする燃料電池用改質装置。
【請求項２】
前記仕切部材には、前記連通孔が複数設けられており、
前記連通孔は、その長手方向において、前記バッファータンクの被改質ガス導入位置に近いものほど、前記連通孔の短手方向の寸法を小さくすることを特徴とする請求項１に記載の燃料電池用改質装置。
【請求項３】
前記仕切部材には、前記連通孔が複数設けられており、
前記連通孔は、その長手方向において、前記被改質ガス導入位置に近いものほど前記連通孔の長手方向の寸法を小さくすることを特徴とする請求項１または２に記載の燃料電池用改質装置。
【手続補正書】
【提出日】平成27年3月10日(2015.3.10)
【手続補正１】
【補正対象書類名】明細書
【補正対象項目名】０００９
【補正方法】変更
【補正の内容】
【０００９】
射熱反射板が設けられた従来構造においても、輻射熱反射板により反射されたセルの輻射熱によって、支持部材が設けられたセルの長手方向の他端側は加熱されるが、支持部材の温度が低い場合、そのセルの他端側の熱が支持部材に奪われてしまい、結果的に、セルの軸方向における温度勾配の抑制がうまく行われない。
【手続補正２】
【補正対象書類名】明細書
【補正対象項目名】００１１
【補正方法】変更
【補正の内容】
【００１１】
また、全体が高温となった支持部材からの熱伝導によって、その支持部材に接続されたセルの長手方向の他端側が加熱される。したがって、この他端側よりも燃焼の燃焼熱によって、より大きな熱が加えられているセルの一端側との温度勾配を抑制することができる。
【手続補正３】
【補正対象書類名】明細書
【補正対象項目名】００１６
【補正方法】変更
【補正の内容】
【００１６】
このように構成された本発明においては、発電用ガス空間部に供給された発電用ガスが、
隣接する高温となった支持部材によって加熱されるため、温度の低い発電用ガスにより、
支持部材が設けられたセルの長手方向における他端側の熱が奪われることを防止すること
ができるため、より確実にセルの軸方向における温度勾配を抑制することができる。
【手続補正書】
【提出日】平成27年3月3日(2015.3.3)
【手続補正１】
【補正対象書類名】特許請求の範囲
【補正対象項目名】全文
【補正方法】変更
【補正の内容】
【特許請求の範囲】
【請求項１】
対象画像と類似する画像を候補画像として検索する類似画像検索手段と、
前記候補画像を表示手段に複数表示させる第１の表示制御手段と、
前記複数の候補画像の類似する相互を識別するためのポイントを示す識別ポイント情報を前記表示手段に表示させる第２の表示制御手段と、
を備えることを特徴とする画像処理装置。
【請求項２】
前記識別ポイント情報は、類似する候補画像の相互の識別を容易にするための部分を指示する情報であることを特徴とする請求項１に記載の画像処理装置。
【請求項３】
前記類似する候補画像の相互の識別を容易にするための部分を指示する情報は、当該部分を指示する矢印であることを特徴とする請求項２に記載の画像処理装置。
【請求項４】
前記識別ポイント情報は、類似する候補画像の相互の識別を容易にするための部分を強調する情報であることを特徴とする請求項１に記載の画像処理装置。
【請求項５】
前記類似する候補画像の相互の識別を容易にするための部分を強調する情報は、ハッチングであることを特徴とする請求項４に記載の画像処理装置。
【請求項６】
前記識別ポイント情報は、類似する候補画像の相互の識別を容易にするための部分を説明する説明文であることを特徴とする請求項１に記載の画像処理装置。
【請求項７】
前記表示手段に表示された候補画像をユーザ操作により選択する選択手段をさらに備え、
前記第２の表示制御手段は、前記選択手段により候補画像が選択されると、前記識別ポイント情報を前記表示手段に表示させることを特徴とする請求項１乃至６のうち何れか１項に記載の画像処理装置。
【請求項８】
撮像手段を更に備え、
前記撮像手段により撮像された画像を、前記対象画像とすることを特徴とする請求項１乃至７のうち何れか１項に記載の画像処理装置。
【請求項９】
前記対象画像は、植物の画像であり、
前記識別ポイント情報は、前記植物の画像の類似品種を相互に識別するための植物の部分を指示する情報であることを特徴とする請求項１乃至８のうち何れか１項に記載の画像処理装置。
【請求項１０】
画像処理装置が実行する画像処理方法であって、
対象画像と類似する画像を候補画像として検索する類似画像検索ステップと、
前記候補画像を表示部に複数表示させる第１の表示制御ステップと、
前記複数の候補画像の類似する相互を識別するためのポイントを示す識別ポイント情報を前記表示部に表示させる第２の表示制御ステップと、を含むことを特徴とする画像処理方法。
【請求項１１】
情報を処理する画像処理装置を制御するコンピュータを、
対象画像と類似する画像を候補画像として検索する類似画像検索手段、
前記候補画像を表示手段に複数表示させる第１の表示制御手段、
前記複数の候補画像の類似する相互を識別するためのポイントを示す識別ポイント情報を前記表示手段に表示させる第２の表示制御手段、
として機能させるプログラム。
【手続補正２】
【補正対象書類名】明細書
【補正対象項目名】０００７
【補正方法】変更
【補正の内容】
【０００７】
上記目的を達成するため、本発明の一態様の画像処理装置は、対象画像と類似する画像を候補画像として検索する類似画像検索手段と、前記候補画像を表示手段に複数表示させる第１の表示制御手段と、前記複数の候補画像の類似する相互を識別するためのポイントを示す識別ポイント情報を前記表示手段に表示させる第２の表示制御手段と、を備えることを特徴とする。